(57)【要約】【課題】回転動作体による作動の際に初期動作までの操作距離が短くて使いやすく、さらに操作精度もよい２方向操作スイッチを提供する。【解決手段】この２方向操作スイッチＡは、器体の内部に形成され器体の一側面に開口を有する収納部１ａと、収納部１ａの中央を中心として収納部１ａに回動自在に配置され外周面の一部に突設されたレバー部３ａを前記開口から外部に突出させた円環形状の回転体３と、レバー部３ａが前記開口の中央に位置するように回転体３を付勢する復帰ばね４と、回転体３の回動動作と共に回動する接触ばね８と、接触ばね８と常に接触した共通接点７ａと、回転体３が一方に回動すると接触ばね８の第１の接触片８ｃと接触する第１の固定接点５ａと、回転体３が他方に回動すると接触ばね８の第２の接触片８ｂと接触する第２の固定接点６ａとを備えたものとした。【選択図】        図１
2004281275.tif 000002
【特許請求の範囲】
【請求項１】
器体と、前記器体の内部に形成され前記器体の一側面に開口を有する収納部と、前記収納部の中央を中心として前記収納部に回動自在に配置され外周面の一部に突設されたレバー部を前記開口から外部に突出させた回転体と、前記レバー部が前記開口の中央に位置するように前記回転体を付勢する復帰ばねと、前記回転体の回動動作と共に回動する可動接触部と、前記収納部内に露出して設けられ前記可動接触部と接触した共通接点と、前記収納部内に露出して設けられ前記回転体が一方に回動すると前記可動接触部と接触する第１の固定接点と、前記収納部内に露出して設けられ前記回転体が他方に回動すると前記可動接触部と接触する第２の固定接点とを備えたことを特徴とする２方向操作スイッチ。
【請求項２】
前記可動接触部は、一端が前記回転体に固定され他端が前記回転体の一方へ延設された第１の接触片と、一端が前記回転体に固定され他端が前記回転体の他方へ延設された第２の接触片とを有し、前記回転体が一方に回動すると前記第１の接触片が前記第１の固定接点と接触し、前記回転体が他方に回動すると前記第２の接触片が前記第２の固定接点と接触することを特徴とする請求項１記載の２方向操作スイッチ。
【請求項３】
前記復帰ばねは、前記収納部内に軸支されたコイルばねであり、コイル状に巻回された巻回部と、前記巻回部の一方の端部から外側に延出された第１の腕部と、他方の端部から外側に延出された第２の腕部とを備え、前記回転体が一方に回動すると前記第１の腕部が前記回転体に係合して回動し前記巻回部がねじれて前記回転体を他方に付勢し、前記回転体が他方に回動すると前記第２の腕部が前記回転体に係合して回動し前記巻回部がねじれて前記回転体を一方に付勢すると共に、前記巻回部が前記共通接点と常時接触しており、前記回転体が一方に回動すると前記第１の腕部が前記第１の固定接点と接触し、前記回転体が他方に回動すると前記第２の腕部が前記第２の固定接点と接触して前記可動接触部を構成することを特徴とする請求項１記載の２方向操作スイッチ。
【請求項４】
前記回転体は円環形状であり、前記可動接触部と、前記共通接点と、前記第１の固定接点と、前記第２の固定接点とを前記回転体の円環形状の内側に配設したことを特徴とする請求項１乃至３の何れか記載の２方向操作スイッチ。
【発明の詳細な説明】
【０００１】
【発明の属する技術分野】
本発明は、各種電子機器内に組み込まれ、メカニズムの動作検出や入力デバイスなどに用いられる２方向操作スイッチに関するものである。
【０００２】
【従来の技術】
従来、携帯電話やノートパソコン、リモコンなどの各種電子機器内に組み込まれ、２方向から加わる操作力により可動接点を固定接点に接続し、様々なメカニズムの動作検出や入力デバイスなどに用いられる２方向操作スイッチがある。
【０００３】
この種の２方向操作スイッチの一例を図１９に示す。この２方向操作スイッチＸは、高さが約１．５ｍｍ、外形が約５ｍｍ×５ｍｍほどのもので、同図において前面および上面が開口したボディ１００と、ボディ１００の底面の上側に軸支されボディ１００の上面の開口から外部に突出したレバー部１０１とを備え、レバー部１０１を例えば左に倒すと、レバー部１０１の下側に形成された小歯車（ピニオン）とラック１０２とからなるラック・アンド・ピニオン駆動部によりラック１０２が右側に移動し、ラック１０２の下端部が接点ばね１０３を右側に押圧し、可動接触子１０３の第１の接点ばね１０３ａがボディ１００の内側面に露出した第１の固定接点１０４に接触し、可動接触子１０３を介して固定接点１０４と共通接点１０５とが電気的に接続される。レバー部１０１に加わる操作力を解除すると、可動接触子１０３のばね力によりラック１０２が左側へと戻り、ラック・アンド・ピニオン駆動部によりレバー部１０１がボディ１００の上面の開口の中央へ戻り、第１の接点ばね１０３ａと第１の固定接点１０４との接触も解除される。
【０００４】
この２方向操作スイッチＸは、レバー部１０１の回転運動をラック・アンド・ピニオン駆動部により直線運動へと変換し、接点ばね１０３ａを押圧して固定接点１０４と共通接点１０５とを接続しており、可動接触子１０３がレバー部１０１の復帰ばねと接点ばねとを兼用したシンプルな構造となっている。
【０００５】
また、ラック・アンド・ピニオン駆動部を用いずに、同様の動作を実現した２方向操作スイッチとして、例えば特許文献１に開示されているものもある。
【０００６】
【特許文献１】
特開２００２−１５０８８５号公報
【０００７】
【発明が解決しようとする課題】
ところで、上記のような２方向操作スイッチを作動させる方法としては、図２０（ａ）〜（ｃ）に示す３方式が一般的である。
【０００８】
図２０（ａ）は、２方向操作スイッチＸのレバー部１０１の右側に動作体Ｙが配置されており、動作体Ｙが左側に直線運動をすると、動作体Ｙがレバー部１０１を左側に倒し２方向操作スイッチＸが作動するものである。
【０００９】
図２０（ｂ）は、２方向操作スイッチＸのレバー部１０１の左側に動作体Ｙが配置されており、動作体Ｙが右側に直線運動をすると、動作体Ｙがレバー部１０１を右側に倒し２方向操作スイッチＸが作動するものである。
【００１０】
図２０（ｃ）は、２方向操作スイッチＸのレバー部１０１の左右両側に、回転動作体Ｚの扇形に切り欠かれた切り欠き部Ｚａが配置されており、回転動作体Ｚがシャトル動作すると、回転動作体Ｚの回転方向に応じて切り欠き部Ｚａがレバー部１０１を倒し２方向操作スイッチＸが作動するものである。
【００１１】
しかしながら、図２０（ｃ）のように回転動作体Ｚがシャトル動作を行う際に、従来の２方向操作スイッチＸでは、レバー部１０１がボディ１００の上側に軸支されており図２１（ａ）に示すようにボディ１００の上面からレバー部１０１の軸支点Ｓ’までの距離ｌ’が短いため、レバー部１０１が倒れる角度が急となり、２１（ｂ）または図２１（ｃ）に示すように、回転動作体Ｚがシャトル動作しようとすると、回転動作体Ｚの切り欠き部Ｚａの間にレバー部１０１が挟まり、２方向操作スイッチＸが作動できなくなるという問題があった。
【００１２】
この問題を解決するには、図２２（ａ）〜（ｃ）に示すように、回転動作体Ｚの切り欠き部Ｚａの切り欠きの角度θを大きくすればよいが、その場合、スイッチの初期動作までの操作距離が長くなり、使いにくいものとなっていた。
【００１３】
本発明は上記問題点に鑑みて為されたものであって、その目的とするところは、回転動作体による作動の際に初期動作までの操作距離が短くて使いやすく、さらに操作精度もよい２方向操作スイッチを提供することにある。
【００１４】
【課題を解決するための手段】
上記目的を達成するために、請求項１記載の２方向操作スイッチは、器体と、器体の内部に形成され器体の一側面に開口を有する収納部と、前記収納部の中央を中心として前記収納部に回動自在に配置され外周面の一部に突設されたレバー部を前記開口から外部に突出させた回転体と、前記レバー部が前記開口の中央に位置するように前記回転体を付勢する復帰ばねと、前記回転体の回動動作と共に回動する可動接触部と、前記収納部内に露出して設けられ前記可動接触部と接触した共通接点と、前記収納部内に露出して設けられ前記回転体が一方に回動すると前記可動接触部と接触する第１の固定接点と、前記収納部内に露出して設けられ前記回転体が他方に回動すると前記可動接触部と接触する第２の固定接点とを備えたものとした。
【００１５】
請求項２記載の２方向操作スイッチは、請求項１記載の発明において、前記可動接触部は、一端が前記回転体に固定され他端が前記回転体の一方へ延設された第１の接触片と、一端が前記回転体に固定され他端が前記回転体の他方へ延設された第２の接触片とを有し、前記回転体が一方に回動すると前記第１の接触片が前記第１の固定接点と接触し、前記回転体が他方に回動すると前記第２の接触片が前記第２の固定接点と接触するものとした。
【００１６】
請求項３記載の２方向操作スイッチは、請求項１記載の発明において、前記復帰ばねは、前記収納部内に軸支されたコイルばねであり、コイル状に巻回された巻回部と、前記巻回部の一方の端部から外側に延出された第１の腕部と、他方の端部から外側に延出された第２の腕部とを備え、前記回転体が一方に回動すると前記第１の腕部が前記回転体に係合して回動し前記巻回部がねじれて前記回転体を他方に付勢し、前記回転体が他方に回動すると前記第２の腕部が前記回転体に係合して回動し前記巻回部がねじれて前記回転体を一方に付勢すると共に、前記巻回部が前記共通接点と常時接触しており、前記回転体が一方に回動すると前記第１の腕部が前記第１の固定接点と接触し、前記回転体が他方に回動すると前記第２の腕部が前記第２の固定接点と接触して前記可動接触部を構成するものとした。
【００１７】
請求項４記載の２方向操作スイッチは、請求項１乃至３の何れか記載の発明において、前記回転体は円環形状であり、前記可動接触部と、前記共通接点と、前記第１の固定接点と、前記第２の固定接点とを前記回転体の円環形状の内側に配設したものとした。
【００１８】
【発明の実施の形態】
以下、本発明を実施形態１、２によって説明する。
【００１９】
（実施形態１）
図１乃至図７を用いて本実施形態の２方向操作スイッチＡを説明する。
【００２０】
この２方向操作スイッチＡは、略箱形で合成樹脂成形品のボディ１と、ボディ１の前面（図１（ｂ）における上側の面。以下同様。）に被着されるカバー２とから器体が構成される。ボディ１とカバー２とは、図６に示すようにカバー２の左右（図６（ａ）における左右。以下同様。）両側からカバー２の後面側にそれぞれ折曲された組立片２ａ，２ａに貫設された組立孔２ｂ，２ｂを、ボディ１の左右（図１（ａ）における左右。以下同様。）の両側壁に突設された係止爪１ｆ，１ｆに凹凸嵌合させて結合されている。
【００２１】
ボディ１には、図２に示すようにボディ１の前面および上面（図２（ｂ）における上側の面。以下同様。）に開口した収納部１ａが形成されている。
【００２２】
収納部１ａは、ボディ１の前面側から見るとボディ１の上側が開口した略円形であり、収納部１ａの底面の中央には、円柱状の軸受け部１ｂが立設されている。軸受け部１ｂの収納部１ａの底面側の外周縁には、収納部１ａの底面よりも若干高い台座部１ｃが設けられ、また軸受け部１ｂの上側となる収納部１ａの底面には後述するコイルばね４の両端部を係止する係止凸部１ｄが台座部１ｃから延長して立設されている。
【００２３】
また、ボディ１には、第１端子５および第２端子６および共通端子７がインサート成形されており、第１端子５の一端がボディ１の右側の側面の上側から外部に突出し、第２端子６の一端がボディ１の左側の側面の上側から外部に突出し、共通端子７の両端部がボディ１の左右両側面の下側からそれぞれ外部に突出している。また、第１端子５の他端は、収納部１ａの右斜め上の位置において略扇形の一部の形状で底面に露出して第１の固定接点５ａを形成し、第２端子６の他端は、収納部１ａの左斜め上の位置において略扇形の一部の形状で底面に露出して第２の固定接点６ａを形成し、共通端子７の両端部の間の部位は、収納部１ａの下半分にわたって底面に露出して共通接点７ａを形成している。
【００２４】
また、ボディ１の後面には、２方向操作スイッチＡを図示しないプリント基板に取り付けるためのボス部１ｅが２ヶ所突設されている。
【００２５】
ところで、ボディ１の収納部１ａには、回転体３が配置される。回転体３は、図３に示すように収納部１ａの略円形とほぼ同じ外径を有する円環形状であり、外周面の上側（図３（ａ）における上側。以下同様。）には外側に突出するレバー部３ａが突設され、レバー部３ａの下側の内周面には、詳しくは後述するようにコイルばね４の両端部を押圧する押圧用凸部３ｂが突設されている。
【００２６】
回転体３は、図１（ａ）に示すようにレバー部３ａをボディ１の上面の開口から外部に突出させて収納部１ａに配置され、前記ボディ１の上面の開口の左右両端部を形成する壁部１ｇ，１ｇとレバー部３ａとが当接する範囲内で、収納部１ａの中央を中心として回動自在となる。
【００２７】
また、回転体３の下側の内周面には、可動接触部としての接触ばね８が装着される。接触ばね８は、弾性を有する薄板の金属板から形成され、図４に示すように回転体３に装着される取着部８ａと、取着部８ａの両側から回転体３の内周面に沿うように円弧状に延設された第１の接触片８ｃと第２の接触片８ｂとから構成されている。
【００２８】
取着部８ａは、接触ばね８の前面側（図４（ｃ）における上側。以下同様。）に折曲され組立孔８ａａが貫設された組立片８ａｂと、取着部８ａの組立片８ａｂと対向する側から延設され接触ばね８の前面側に折曲された２個の延設片８ａｃ，８ａｃとを有し、回転体３の後面側から回転体３の内周面の下側に形成された組立凸部３ｃに組立片８ａｂの組立孔８ａａを凹凸嵌合させると共に延設片８ａｃ，８ａｃを回転体３の外周面の下側に形成された凹部３ｄ，３ｄに圧入して装着される。なお、取着部８ａの接触ばね８への取り付け方法は、上記の方法に限定されるものではなく、例えば、接触ばね８に取着部８ａをインサート成形してもよい。
【００２９】
取着部８ａが回転体３に装着されると、第１の接触片８ｃは、一端が回転体３に固定され他端が回転体３の一方へ延設された状態となり、同様に、第２の接触片８ｂは、一端が回転体３に固定され他端が回転体３の他方へ延設された状態となる。
【００３０】
また、図４（ｃ）に示すように第１の接触片８ｃと第２の接触片８ｂは取着部８ａよりも少し後面側に折曲されており、回転体３がボディ１の収納部１ａに配置された時に、二股に形成されたそれぞれの先端部が収納部１ａの底面に露出する第１の固定接点５ａまたは第２の固定接点６ａまたは共通接点７ａに弾接するようにしている。
【００３１】
ところで、ボディ１の軸受け部１ｂには復帰ばねとしてのコイルばね４が配置される。コイルばね４は、図５に示すように、軸受け部１ｂの外径より若干大きい内径でコイル状に巻回された巻回部４ａを有し、コイルばね４の前面（図５において紙面に対して垂直な上方の面。）側および後面側に位置する巻回部４ａの両端部が、コイルばね４を前面側から見たときにほぼ重なる位置で（図５（ａ）参照。）外側に突出するようにそれぞれ折曲され、第１の突片４ｂおよび第２の突片４ｃを形成している。
【００３２】
コイルばね４は、図１に示すように巻回部４ａに軸受け部１ｂを通して後面を軸受け部１ｂの外周縁に設けられた台座部１ｃに載置すると共に第１の突片４ｂおよび第２の突片４ｃを両側に広げて（図５（ｂ）参照。）収納部１ａに立設された係止凸部１ｄの左右両側に係止させて配置される。コイルばね４は、台座部１ｃに載置されているため、収納部１ａの底面に露出した第１の固定接点５ａ、第２の固定接点６ａ、共通接点７ａと接触することはない。
【００３３】
またボディ１に配置された回転体３とコイルばね４とは、図１（ａ）に示すように、コイルばね４の第１の突片４ｂおよび第２の突片４ｃの先端が、回転体３の押圧用凸部３ｂの左右両側に位置している。
【００３４】
次に、以上のように構成された２方向操作スイッチＡの動作について説明する。
【００３５】
回転体３のレバー部３ａに操作力が作用しない中立状態においては、図１（ａ）に示すようにレバー部３ａが器体上面の開口の中間に位置している。この時、接触ばね８の第１の接触片８ｃと第２の接触片８ｂは、収納部１ａの底面に露出した第１の固定端子５ａおよび第２の固定端子６ａの下側に位置しており、共通接点７ａとは接触しているが第１の固定端子５ａおよび第２の固定端子６ａとは接触していない。すなわち、第１端子５および第２端子６と、共通端子７間はいずれも非導通状態となっている。
【００３６】
レバー部３ａを中立状態から図７に示すように器体の左側へ倒すと、回転体３が左回りに回動すると共に接触ばね８が左回りに回動し、第１の接触片８ｃが第１の固定接点５ａと弾接する。一方、第２の接触片８ｂは共通接点７ａと弾接したままのため、第１端子５と共通端子７間は、接触ばね８を介して導通状態となる。
【００３７】
またこの時、回転体３の回動と共に回転体３の押圧用凸部３ｂがコイルばね４の第１の突片４ｂを押圧して第１の突片４ｂが左回りに回動しており、一方、コイルばね４の第２の突片４ｃはボディ１の係止凸部１ｄに係合して回動していないため、コイルばね４が左回りにねじれ、第１の突片４ｂには右回りの付勢力が働く。
【００３８】
レバー部３ａへの操作力を解除すると、第１の突片４ｂによる付勢力で回転体３が右回りに回動して第１の接触片８ｃが第１の固定接点５ａから離れ、再び非導通状態へと戻る。この時、レバー部３ａの回動は、押圧用凸部３ｂがコイルばね４の第２の突片４ｃに当接することで制止され、コイルばね４の付勢力によりレバー部３ａが器体上面の開口の中間より右側まで行き過ぎることはない。
【００３９】
レバー部３ａを中立状態から器体の右側へ倒すと（図示せず）、回転体３が右回りに回動すると共に接触ばね８が右回りに回動し、第２の接触片８ｂが第２の固定接点６ａと弾接する。一方、第１の接触片８ｃは共通接点７ａと弾接したままのため、第２端子６と共通端子７間は、接触ばね８を介して導通状態となる。
【００４０】
またこの時、回転体３の回動と共に回転体３の押圧用凸部３ｂがコイルばね４の第２の突片４ｃを押圧して第２の突片４ｃが右回りに回動しており、一方、コイルばね４の第１の突片４ｂはボディ１の係止凸部１ｄに係合して回動していないため、コイルばね４が右回りにねじれ、第２の突片４ｃには左回りの付勢力が働く。
【００４１】
レバー部３ａへの操作力を解除すると、第２の突片４ｃによる付勢力で回転体３が左回りに回動して第２の接触片８ｂが第２の固定接点６ａから離れ、再び非導通状態へと戻る。この時、レバー部３ａの回動は、押圧用凸部３ｂがコイルばね４の第１の突片４ｂに当接することで制止され、コイルばね４の付勢力によりレバー部３ａが器体上面の開口の中間より左側まで行き過ぎることはない。
【００４２】
上記のような２方向操作スイッチＡにおいては、レバー部３ａが回転体３に突設され、回転体３と共に収納部１ａの中央を中心に回動するため、図１７に示すように器体の上面からレバー部３ａの回動の中心点Ｓまでの距離ｌが長くなり、レバー部３ａの倒れる角度が緩くなる。図１７は、回転動作体Ｚが所定の角度回転した時の、本実施形態の２方向操作スイッチＡのレバー部３ａの傾きと、従来の２方向操作スイッチＸのレバー部１０１の傾きとを比較した図である。実線が本実施形態のレバー部３ａで、破線が従来のレバー部１０１である。図１７より、明らかに従来の２方向操作スイッチＸのレバー部１０１に比べて本実施形態のレバー部３ａの倒れる角度が緩くなっている。
【００４３】
これにより、図１８に示すように、本実施形態の２方向操作スイッチＡは、回転動作体Ｚの切り欠き部Ｚａの切り欠きの角度θを大きくしなくても、回転動作体Ｚの切り欠き部Ｚａの間にレバー部３ａが挟まらず、回転動作体Ｚのシャトル動作が可能となる。
【００４４】
かかる２方向操作スイッチＡにおいては、回転動作体Ｚによる作動の際に初期動作までの操作距離が短くて使いやすいものとなる。さらに、接触ばね８が回転体３と一体で回転するため、操作精度も良い。
【００４５】
また、回転体３が円環形状であり、２方向操作スイッチＡの接触構造を構成する可動接触部としての接触ばね８と、共通接点７ａと、第１の固定接点５ａと、第２の固定接点６ａとが回転体３の円環形状の内側に配設されているため、２方向操作スイッチＡの防塵性能の向上も図ることができる。
【００４６】
（実施形態２）
図８乃至図１５に、本実施形態の２方向操作スイッチＢを示す。
【００４７】
この２方向操作スイッチＢは、低背の略箱形で合成樹脂成形品のボディ１０と、同じく低背の略箱形で合成樹脂成形品のカバー１１とから器体が構成される。
【００４８】
ボディ１０には、図９に示すようにボディ１０の前面（図９（ｃ）における上側の面。以下同様。）および上面（図９（ｂ）における上側の面。以下同様。）に開口した収納部１０ａが形成されている。
【００４９】
収納部１０ａは、ボディ１０の前面側から見るとボディ１０の上側が開口した略円形であり、収納部１０ａの底面の中央には、後述するカバー１１の前面軸受け部１１ｂと合わせてコイルばね１３を軸支する円柱状の後面軸受け部１０ｂが立設され、また、後面軸受け部１０ｂの上側となる収納部１０ａの底面にはコイルばね１３の両端部を係止する係止凸部１０ｃが立設されている。後面軸受け部１０ｂの先端面には、軸受け凹部１０ｄが形成されている。
【００５０】
また、ボディ１０には、第１端子１４および第１共通端子１５Ａがインサート成形されており、第１端子１４の一端がボディ１の右側（図９（ｂ）における右側。以下同様。）の側面の上側から外部に突出し、第１共通端子１５Ａの一端がボディ１の右側の側面の下側から外部に突出している。また、第１端子１４の他端は、収納部１０ａの略右斜め上の位置において収納部１０ａの内周壁の形状に沿って円弧状に底面から外部に露出して第１の固定接点１４ａを形成し、第１共通端子１５Ａの他端は、後面軸受け部１０ｂの周囲を囲むように底面の表面に露出して第１共通接点１５Ａａを形成している。第１の固定接点１４ａは、図９（ｃ）に示すように円弧状の中心線に沿って山型に盛り上がっており、山型の峰部が他の収納部１０ａの底面よりも若干前面側に突出している。
【００５１】
また、収納部１０ａの開口部周縁となるボディ１の前面は、右側半分が左側半分よりも若干高く形成され、右側半分の面に組立凹部１０ｅおよび圧入孔１０ｆが設けられると共に、左側半分の面に組立凸部１０ｇおよび圧入凸部１０ｈが設けられている。
【００５２】
また、ボディ１０の後面には、２方向操作スイッチＢを図示しないプリント基板に取り付けるためのボス部１０ｉが２ヶ所突設されている。
【００５３】
カバー１１には、図１０に示すようにカバー１１の後面（図１０（ｃ）における上側の面。以下同様。）および上面（図１０（ｂ）における上側の面。以下同様。）に開口した収納部１１ａが形成されている。なお、図１０（ｂ）は、カバー１１を後面側から見たときの図である。
【００５４】
収納部１１ａは、ボディ１０に形成された収納部１０ａと同等の形状であり、カバー１１の後面側から見るとカバー１１の上側が開口した略円形である。
【００５５】
また、収納部１１ａの底面の中央には、ボディ１０の後面軸受け部１０ｂと合わせてコイルばね１３を軸支する円柱状の前面軸受け部１１ｂが立設されている。前面軸受け部１１ｂの先端面には、ボディ１０の後面軸受け部１０ｂの先端面に形成された軸受け凹部１０ｄと凹凸嵌合する軸受け凸部１１ｃが突設されている。
【００５６】
また、カバー１１には、第２端子１６および第２共通端子１５Ｂがインサート成形されており、第２端子１６の一端がカバー１１の右側（図１０（ｂ）のようにカバー１１を後面側から見たときの右側。以下同様。）の側面の上側から外部に突出し、第２共通端子１５Ｂの一端がカバー１１の側面の下側から外部に突出している。また、第２端子１６の他端は、収納部１１ａの略右斜め上の位置において収納部１１ａの内周壁の形状に沿って円弧状に底面から外部に露出して第２の固定接点１６ａを形成し、第２共通端子１５Ｂの他端は、前面軸受け部１１ｂの周囲を囲むように底面の表面に露出して第２共通接点１５Ｂａを形成している。第２の固定接点１６ａは、図１０（ｃ）に示すように円弧状の中心線に沿って山型に盛り上がっており、山型の峰部が他の収納部１１ａの底面よりも若干後面側に突出している。
【００５７】
また、収納部１１ａの開口部周縁となるカバー１１の後面は、右側半分が左側半分よりも若干高く形成され、右側半分の面に組立凹部１１ｄおよび圧入孔１１ｅが設けられると共に、左側半分の面に組立凸部１１ｆおよび圧入凸部１１ｇが設けられている。
【００５８】
ボディ１０とカバー１１とは、ボディ１０の前面とカバー１１の後面とを向かい合わせ、ボディ１０に設けられた軸受け凹部１０ｄ、組立凹部１０ｅ、組立凸部１０ｇ、圧入孔１０ｆ、圧入凸部１０ｈと、カバー１１のそれらにそれぞれ対応する位置に設けられた軸受け凸部１１ｃ、組立凸部１１ｆ、組立凹部１１ｄ、圧入凸部１１ｇ、圧入孔１１ｅとを凹凸嵌合させながら圧入結合される。ボディ１０とカバー１１とから構成された器体は、収納部１０ａ，１１ａが上面に開口した略箱形となる。
【００５９】
ところで、器体の収納部１０ａ，１１ａには、回転体１２が配置される。回転体１２は、図１１に示すように収納部１０ａ，１１ａの略円形とほぼ同じ外径を有する円環形状であり、外周面の上側（図１１（ｂ）における上側。以下同様。）には外側に突出するレバー部１２ａが突設されている。また、レバー部１２ａが設けられた位置から右斜め下（図１１（ｂ）における右斜め下。以下同様。）には円弧状の第１の孔１２ｃが設けられ、左斜め下（図１１（ｂ）における左斜め下。以下同様。）には同じく円弧状の第２の孔１２ｂが設けられている。
【００６０】
さらに、回転体１２の前面（図１１（ａ）における右側の面。以下同様。）のうち、第２の孔１２ｂの両端部と回転体１２の略円環形状の中心点とを結んだ扇形の一部となる部位がそれ以外の回転体１２の前面よりも低く形成され、摺動凹部１２ｄが形成されている。また、回転体１２の後面のうち、第１の孔１２ｃの両端部と回転体１２の略円環形状の中心点を結んだ扇形の一部となる部位がそれ以外の回転体１２の後面よりも低く形成され、摺動凹部１２ｅが形成されている。摺動凹部１２ｅが形成された回転体１２の部位は回転体１２を前後に貫通する溝１２ｆにより、２つに分割されている。
【００６１】
回転体１２は、図８（ａ）や図１２に示すようにレバー部１２ａを器体の上面の開口から外部に突出させて収納部１０ａ，１１ａに配置され、前記器体の上面の開口の左右両端部を形成する壁部１０ｊ，１１ｈ（図９（ｂ）、図１０（ｂ）参照。）とレバー部１２ａとが当接する範囲内で、収納部１０ａ，１１ａの中央を中心として回動自在となる。
【００６２】
ところで、器体内の前面軸受け部１１ｂと後面軸受け部１０ｂとによって、コイルばね１３が軸支される。コイルばね１３は導電性材料からなり、図１３に示すように、前面軸受け部１１ｂおよび後面軸受け部１０ｂの外径より若干大きい内径でコイル状に巻回された巻回部１３ａを有し、コイルばね１３の後面（図１３（ｂ）において紙面に対して垂直な下方の面。）側および前面側に位置する巻回部１３ａの両端部がそれぞれ外側に突出するように折曲されて第１の腕部１３ｃおよび第２の腕部１３ｂを形成し、さらに両腕部１３ｃ，１３ｂの先端が互いに対向するように内側に折曲されて係止部１３ｃａ，１３ｂａを形成している。
【００６３】
コイルばね１３は、図８（ａ）に示すように第２の腕部１３ｂの先端の係止部１３ｂａを回転体１２の前面側から第２の孔１２ｂに挿通させ、係止部１３ｂａを第２の孔１２ｂのレバー部１２ａ寄りの端部に係止させると共に、第１の腕部１３ｃを回転体１２の溝１２ｆから回転体１２の後側に通し、第１の腕部１３ｃの先端の係止部１３ｃａを回転体１２の後面側から第１の孔１２ｃに挿通させ、係止部１３ｃａを第１の孔１２ｃのレバー部１２ａ寄りの端部に係止させた状態で、巻回部１３ａが前後両側から前面軸受け部１１ｂおよび裏側軸受け部１０ｂによって軸支されている。
【００６４】
器体内に配置されたコイルばね１３は、両腕部１３ｃ，１３ｂがボディ１０の係止凸部１０ｃの左右両側に位置しており、また巻回部１３ａの前面がカバー１１の前面軸受け部１１ｂの周囲に露出した第２共通接点１５Ｂａと接触し（図８（ｃ）参照。）、巻回部１３ａの後面がボディ１０の後面軸受け部１０ｂの周囲に露出した第１共通接点１５Ａａと接触している。
【００６５】
また、第１の腕部１３ｃは、回転体１２の後面の摺動凹部１２ｅに位置しているため、第１の腕部１３ｃは回転体１２の後面より突出することがなく、同様に、第２の腕部１３ｂは、回転体１２の前面の摺動凹部１２ｄに位置しているため、第２の腕部１３ｂは回転体１２の前面より突出することがなく、器体の前後方向の高さを抑えることができる。
【００６６】
コイルばね１３は、詳しくは後述するように、回転体１２のレバー部１２ａが器体上面の開口の中央に位置するように回転体１２を付勢する復帰ばねとしての役割と、回転体１２の回動動作と共に回動し第１の固定接点１４ａと第１・第２共通接点１５Ａａ，１５Ｂａ、または第２の固定接点１６ａと第１・第２共通接点１５Ａａ，１５Ｂａとを接続する可動接触部としての役割を兼ね備えている。
【００６７】
次に、以上のように構成された２方向操作スイッチＢの動作について説明する。
【００６８】
回転体１２のレバー部１２ａに操作力が作用しない中立状態においては、図８（ａ）に示すようにレバー部１２ａが器体上面の開口の中間に位置している。この時、コイルばね１３の第１の腕部１３ｃはボディ１０の収納部１０ａの底面に露出した第１の固定接点１４ａの左斜め上側に位置しており、第２の腕部１３ｂはカバー１１の収納部１１ａの底面に露出した第２の固定接点１６ａの右斜め上側に位置しており、第１端子１４および第２端子１６と、第１・第２の共通端子１５Ａ，１５Ｂ間はいずれも非導通状態となっている。
【００６９】
レバー部１２ａを中立状態から図１４に示すように器体の右側へ倒すと、回転体１２が右回りに回動すると共にコイルばね１３の第１の腕部１３ｃの係止部１３ｃａがハンドル１３の第１の孔１２ｃの内側面に係合して右回りに回動し、第２の腕部１３ｂが第１の固定接点１４ａに乗り上げて接触する。一方、第２の腕部１３ｂはボディ１０の収納部１０ａに立設された係止凸部１０ｃに係合したまま、中立状態から移動しない。これにより、第１・第２共通接点１５Ａａ，１５Ｂａは常にコイルばね１３の巻回部１３ａと接触しているため、第１端子１４と第１・第２共通端子１５Ａ，１５Ｂ間は、コイルばね１３を介して導通状態となる。またこの時、コイルばね１３の巻回部１３ａは右回りにねじれて第１の腕部１３ｃには左回りの付勢力が働いている。
【００７０】
レバー部１２ａへの操作力を解除すると、第１の腕部１３ｃによる付勢力で回転体１２が左回りに回動して第１の腕部１３ｃが第１の固定接点１４ａから離れ、再び非導通状態へと戻る。この時、レバー部１２ａの回動は、回転体１２の第２の孔１２ｂの内側面がコイルばね１３の第２の腕部１３ｂに当接することで制止され、コイルばね１３の付勢力によりレバー部１２ａが器体上面の開口の中間より左側まで行き過ぎることはない。
【００７１】
レバー部１２ａを中立状態から図１５に示すように器体の左側へ倒すと、回転体１２が左回りに回動すると共にコイルばね１３の第２の腕部１３ｂの係止部１３ｂａがハンドル１３の第２の孔１２ｂの内側面に係合して左回りに回動し、第２の腕部１３ｂが第２の固定接点１６ａに乗り上げて接触する（図１５では第２の固定接点１６ａは図示せず。）。一方、第１の腕部１３ｃはボディ１０の収納部１０ａに立設された係止凸部１０ｃに係合したまま、中立状態から移動しない。これにより、第１・第２共通接点１５Ａａ，１５Ｂａは常にコイルばね１３の巻回部１３ａと接触しているため、第２端子１６と第１・第２共通端子１５Ａ，１５Ｂ間は、コイルばね１３を介して導通状態となる。またこの時、コイルばね１３の巻回部１３ａは左回りにねじれて第２の腕部１３ｂには右回りの付勢力が働いている。
【００７２】
レバー部１２ａへの操作力を解除すると、第２の腕部１３ｂによる付勢力で回転体１２が右回りに回動して第２の腕部１３ｂが第２の固定接点１６ａから離れ、再び非導通状態へと戻る。この時、レバー部１２ａの回動は、回転体１２の第１の孔１２ｃの内側面がコイルばね１３の第１の腕部１３ｃに当接することで制止され、コイルばね１３の付勢力によりレバー部１２ａが器体上面の開口の中間より右側まで行き過ぎることはない。
【００７３】
上記のような２方向操作スイッチＢにおいても、実施形態１の２方向スイッチＡと同様にレバー部１２ａが回転体１２に突設され、回転体１２と共に器体の中央を中心に回動するため、器体の上面からレバー部１２ａの回動の中心点までの距離が長くなり、レバー部１２ａの倒れる角度が緩くなる。これにより、回転動作体Ｚの切り欠き部Ｚａの切り欠きの角度θを大きくしなくても、回転動作体Ｚの切り欠き部Ｚａの間にレバー部１２ａが挟まらず、回転動作体Ｚのシャトル動作が可能となる。
【００７４】
かかる２方向操作スイッチＢにおいては、実施形態１の２方向スイッチＡと同様に回転動作体による作動の際に初期動作までの操作距離が短くて使いやすいものとなり、さらに、可動接触部を構成する第１の腕部１３ｃ、第２の腕部１３ｂが回転体１２と一体で回転するため、操作精度も良い。
【００７５】
さらにコイルばね１３が復帰ばねとしての役割と可動接触部としての役割を兼ね備えているため、実施形態１の２方向スイッチＡと比較して、部品点数を削減することができる。
【００７６】
また、実施形態１同様に、回転体１２が円環形状であり、２方向操作スイッチＢの接触構造を構成する可動接触部としてのコイルばね１３の第１の腕部１３ｃ，第２の腕部１３ｂと、第１・第２共通接点１５Ａａ，１５Ｂａと、第１の固定接点１４ａと、第２の固定接点１６ａとが回転体１２の円環形状の内側に配設されているため、２方向操作スイッチＢの防塵性能の向上も図ることができる。
【００７７】
なお、本実施形態のボディ１０とカバー１１とは、圧入結合のみであったが、図１６（ａ）に示すように、第１共通端子１５Ａの第１共通接点１５Ａａから、第１共通端子１５Ａと反対側のボディ１０の側面に突出するように延設された延設片１５Ｃと、図１６（ｂ）に示すように、第２共通端子１５Ｂの第２共通接点１５Ｂａから、第２共通端子１５Ｂと反対側のカバー１１の側面に突出するように延設された延設片１５Ｄとを用いて、図１６（ｃ）に示すように、延設片１５Ｃをカバー１１の前面側に折曲してカバー１１を押さえる固定部とし、延設片１５Ｄをボディ１０の後面側に折曲してボディ１０を押さえる固定部としても良い。かかる２方向操作スイッチにおいては、ボディ１０とカバー１１との結合がより確実なものとなる。
【００７８】
【発明の効果】
請求項１記載の２方向操作スイッチは、器体と、前記器体の内部に形成され前記器体の一側面に開口を有する収納部と、前記収納部の中央を中心として前記収納部に回動自在に配置され外周面の一部に突設されたレバー部を前記開口から外部に突出させた回転体と、前記レバー部が前記開口の中央に位置するように前記回転体を付勢する復帰ばねと、前記回転体の回動動作と共に回動する可動接触部と、前記収納部内に露出して設けられ前記可動接触部と接触した共通接点と、前記収納部内に露出して設けられ前記回転体が一方に回動すると前記可動接触部と接触する第１の固定接点と、前記収納部内に露出して設けられ前記回転体が他方に回動すると前記可動接触部と接触する第２の固定接点とを備えたので、前記レバー部が前記回転体に突設され回転体と共に前記収納部の中央を中心に回動し、器体の上面からレバー部の回動の中心までの距離が長くなってレバー部の倒れる角度が緩くなるので、レバー部の両側に回転動作体の切り欠き部を配置して回転動作体のシャトル動作により本２方向操作スイッチを作動させる場合に、回転動作体の切り欠き部の切り欠きの角度を大きくしなくても回転動作体のシャトル動作が可能となり、初期動作までの操作距離が短くて使いやすい２方向操作スイッチを実現できるという効果がある。さらに前記可動接触部が前記回転体の回動動作と共に回動するので、操作精度も良いという効果がある。
【００７９】
請求項２記載の２方向操作スイッチは、請求項１記載の発明において、前記可動接触部は、一端が前記回転体に固定され他端が前記回転体の一方へ延設された第１の接触片と、一端が前記回転体に固定され他端が前記回転体の他方へ延設された第２の接触片とを有し、前記回転体が一方に回動すると前記第１の接触片が前記第１の固定接点と接触し、前記回転体が他方に回動すると前記第２の接触片が前記第２の固定接点と接触するので、簡単な構成で請求項１記載の可動接触部を実現できるという効果がある。
【００８０】
請求項３記載の２方向操作スイッチは、請求項１記載の発明において、前記復帰ばねは、前記収納部内に軸支されたコイルばねであり、コイル状に巻回された巻回部と、前記巻回部の一方の端部から外側に延出された第１の腕部と、他方の端部から外側に延出された第２の腕部とを備え、前記回転体が一方に回動すると前記第１の腕部が前記回転体に係合して回動し前記巻回部がねじれて前記回転体を他方に付勢し、前記回転体が他方に回動すると前記第２の腕部が前記回転体に係合して回動し前記巻回部がねじれて前記回転体を一方に付勢すると共に、前記巻回部が前記共通接点と常時接触しており、前記回転体が一方に回動すると前記第１の腕部が前記第１の固定接点と接触し、前記回転体が他方に回動すると前記第２の腕部が前記第２の固定接点と接触して前記可動接触部を構成するので、前記復帰ばねと前記可動接触部を１つのコイルばねで実現でき、請求項２記載の２方向操作スイッチと比較して部品点数を削減した２方向操作スイッチを実現できるという効果がある。
【００８１】
請求項４記載の２方向操作スイッチは、請求項１乃至３の何れか記載の発明において、前記回転体は円環形状であり、前記可動接触部と、前記共通接点と、前記第１の固定接点と、前記第２の固定接点とを前記回転体の円環形状の内側に配設したので、２方向操作スイッチの防塵性能の向上を図ることができる。
【図面の簡単な説明】
【図１】（ａ）実施形態１の２方向操作スイッチのカバーを外した状態の前面図である。
（ｂ）同上を下側から見た時の側面断面図である。
（ｃ）同上を右側から見た時の側面断面図である。
【図２】（ａ）同上のボディを上側から見た時の側面断面図と側面図である。
（ｂ）同上のボディの前面図である。
（ｃ）同上のボディを右側から見た時の側面図である。
（ｄ）同上のボディを右側から見た時の側面断面図である。
【図３】（ａ）同上の回転体の前面図である。
（ｂ）同上の回転体を下側から見た時の側面図である。
（ｃ）同上の回転体を右側から見た時の側面断面図である。
【図４】（ａ）同上の接触ばねの前面図である。
（ｂ）同上の接触ばねの組立片を拡大した図である。
（ｃ）同上の接触ばねを右側から見た時の側面図である。
【図５】（ａ）同上のコイルばねの前面図である。
（ｂ）同上のコイルばねの両端部を広げた時の図である。
【図６】（ａ）同上のカバーの前面図である。
（ｂ）同上のカバーを下側から見た時の側面図である。
（ｃ）同上のカバーを右側から見た時の側面図である。
【図７】同上の２方向操作スイッチのレバー部を左側に倒した時の図である。
【図８】（ａ）実施形態２の２方向操作スイッチのボディ側の前面図である。
（ｂ）同上のカバー側の後面図である。
（ｃ）同上を下側から見た時の断面図である。
【図９】（ａ）同上のボディを上側から見た時の側面図である。
（ｂ）同上のボディの前面図である。
（ｃ）同上のボディを下側から見た時の側面断面図である。
（ｄ）同上のボディを右側から見た時の側面断面図である。
【図１０】（ａ）同上のカバーを上側から見た時の側面図である。
（ｂ）同上のカバーの前面図である。
（ｃ）同上のカバーを下側から見た時の側面断面図である。
（ｄ）同上のカバーを右側から見た時の側面断面図である。
【図１１】（ａ）同上の回転体を左側から見た時の側面断面図である。
（ｂ）同上の回転体の前面図である。
（ｃ）同上の回転体を右側から見た時の側面図である。
（ｄ）同上の回転体を右側から見た時の側面断面図である。
（ｅ）同上の回転体の後面図である。
【図１２】同上を上側から見た時の側面図である。
【図１３】（ａ）同上のコイルばねを上から見た時の側面図である。
（ｂ）同上のコイルばねの前面図である。
（ｃ）同上のコイルばねを右側から見た時の側面図である。
【図１４】同上の２方向操作スイッチのレバー部を右側に倒した時のボディ側の図である。
【図１５】同上の２方向操作スイッチのレバー部を左側に倒した時のボディ側の図である。
【図１６】（ａ）同上のボディから延設片を延設した状態を示す前面図である。
（ｂ）同上のカバーから延設変を延設した状態を示す後面図である。
（ｃ）同上の延設片を用いてボディとカバーとを固定した状態を示す図である。
【図１７】（ａ）実施形態１（実施形態２でも同様）の２方向操作スイッチと従来の２方向操作スイッチとのレバー部の倒れ方を比較した図である。
（ｂ）回転動作体をさらに回転させた時の状態を比較した図である。
【図１８】（ａ）〜（ｃ）実施形態１（実施形態２でも同様）の２方向スイッチを用いた時の回転動作体による作動を説明する図である。
【図１９】従来の２方向操作スイッチを説明する図である。
【図２０】（ａ）同上の２方向操作スイッチを右側から動作体が作動させる状態を説明する図である。
（ｂ）同上の２方向操作スイッチを左側から動作体が作動させる状態を説明する図である。
（ｃ）同上の２方向操作スイッチを回転動作体が作動させる状態を説明する図である。
【図２１】（ａ）〜（ｃ）同上の２方向スイッチを用いた時の回転動作体による作動を説明する図である。
【図２２】（ａ）〜（ｃ）回転動作体の切り欠き部の角度を大きくして同上の２方向スイッチを作動させる状態を説明する図である。
【符号の説明】
１  ボディ
１ａ  収納部
１ｂ  軸受け部
１ｃ  台座部
１ｄ  係止凸部
１ｇ  壁部
２  カバー
３  回転体
３ａ  レバー部
３ｂ  押圧用凸部
３ｃ  組立凸部
３ｄ  凹部
４  コイルばね
４ａ  巻回部
４ｂ  第１の突片
４ｃ  第２の突片
５  第１端子
５ａ  第１の固定接点
６  第２端子
６ａ  第２の固定接点
７  共通端子
７ａ  共通接点
８  接触ばね
８ａ  取着部
８ｂ  第２の接触片
８ｃ  第１の接触片
１０  ボディ
１０ａ  収納部
１０ｂ  後面軸受け部
１０ｃ  係止凸部
１０ｄ  軸受け凹部
１１  カバー
１１ａ  収納部
１１ｂ  前面軸受け部
１１ｃ  軸受け凸部
１２  回転体
１２ａ  レバー部
１２ｂ  第２の孔
１２ｃ  第１の孔
１２ｄ，１２ｅ  摺動凹部
１２ｆ  溝
１３  コイルばね
１３ａ  巻回部
１３ｂ  第２の腕部
１３ｃ  第１の腕部
１４  第１端子
１４ａ  第１の固定接点
１５Ａ  第１共通端子
１５Ａａ  第１共通接点
１５Ｂ  第２共通端子
１５Ｂａ  第２共通接点
１６  第２端子
１６ａ  第２の固定接点
Ａ，Ｂ  ２方向操作スイッチ
Ｚ  回転動作体
Ｚａ  切り欠き部
【図１】
2004281275.tif 000003
【図２】
2004281275.tif 000004
【図３】
2004281275.tif 000005
【図４】
2004281275.tif 000006
【図５】
2004281275.tif 000007
【図６】
2004281275.tif 000008
【図７】
2004281275.tif 000009
【図８】
2004281275.tif 000010
【図９】
2004281275.tif 000011
【図１０】
2004281275.tif 000012
【図１１】
2004281275.tif 000013
【図１２】
2004281275.tif 000014
【図１３】
2004281275.tif 000015
【図１４】
2004281275.tif 000016
【図１５】
2004281275.tif 000017
【図１６】
2004281275.tif 000018
【図１７】
2004281275.tif 000019
【図１８】
2004281275.tif 000020
【図１９】
2004281275.tif 000021
【図２０】
2004281275.tif 000022
【図２１】
2004281275.tif 000023
【図２２】
2004281275.tif 000024